(57)【特許請求の範囲】
【請求項１】
移動局と基地局との間の通信を行う通信システムにおいて前記移動局と前記基地局との間の通信データ速度を選択する方法であって：
前記基地局と前記移動局との間の通信に関する初期データ速度を選択する段階であって、前記移動局が前記初期データ速度を選択する段階；
選択された前記選択初期データ速度を前記移動局から前記基地局に通信する段階；
前記初期データ速度が前記移動局により選択される時刻と、前記基地局が前記移動局に対する通信を準備する時刻との間に、前記移動局が受ける干渉状態の差分レベルを判定する段階；および
干渉状態の前記判定された差分レベルに基づき、前記基地局から前記移動局への送信に関する最終的データ速度を選択する段階；
を具備することを特徴とする方法。
【請求項２】
選択された前記選択初期データ速度が、前記移動局により前記初期データ速度が選択される前記時刻において、前記移動局により判定される干渉状態に対するキャリアレベルに基づくことを特徴とする請求項１記載の方法。
【請求項３】
判定された干渉状態の前記差分レベルが前記基地局により判定されることを特徴とする請求項１記載の方法。
【請求項４】
判定された前記干渉状態の差分レベルが、前記基地局が前記移動局に対する通信の準備をする前記時刻において、前記初期データ速度が前記移動局により決定される前記時刻におけるものよりも大きな干渉を示す場合に、選択された前記最終データ速度が、選択された前記初期データ速度より低いことを特徴とする請求項１記載の方法。
【請求項５】
判定された前記干渉状態の差分レベルが、前記基地局が前記移動局に対する通信の準備をする前記時刻において、前記初期データ速度が前記移動局により決定される前記時刻におけるものよりも小さな干渉を示す場合に、選択された前記最終データ速度が選択された前記初期データ速度より高いことを特徴とする請求項１記載の方法。
【請求項６】
判定された前記干渉状態の差分レベルが、前記基地局が前記移動局に対する通信の準備をする前記時刻と、前記初期データ速度が前記移動局により決定される前記時刻とにおいてほぼ同じ干渉を示す場合に、選択された前記最終データ速度が選択された前記初期データ速度と同じであることを特徴とする請求項１記載の方法。
【請求項７】
前記干渉状態の被判定差分レベルが閾値より高い場合に、選択された前記最終データ速度が選択された前記初期データ速度とは異なることを特徴とする請求項１記載の方法。
【請求項８】
移動局と基地局との間の通信を行う通信システムであって：
前記基地局と前記移動局との間の通信に関する初期データ速度を選択する手段であって、前記移動局が前記初期データ速度を選択する、手段；
選択された前記選択初期データ速度を前記移動局から前記基地局に通信する手段；
前記初期データ速度が前記移動局により選択される時刻と、前記基地局が前記移動局に対する通信を準備する時刻との間に、前記移動局が受ける干渉状態の差分レベルを判定する手段；および
干渉状態の前記判定された差分レベルに基づき、前記基地局から前記移動局への送信に関する最終データ速度を選択する手段；
を具備することを特徴とする通信システム。
【請求項９】
選択された前記選択最終データ速度において、前記基地局から前記移動局に送信する手段をさらに具備することを特徴とする請求項８記載の通信システム。
【請求項１０】
判定された前記干渉状態の差分レベルを決定する前記手段が：
前記移動局から、前記移動局により行われ、前記基地局の周辺エリア内の複数の基地局から送信される、パイロット信号のパイロット信号強度測定を受信する手段；および
前記複数の基地局から、前記複数の基地局のうちいずれかの基地局が、前記基地局が前記移動局に対する通信の準備を行う前記時刻において送信中であるか否かの表示を受信する手段；
を具備することを特徴とする請求項８記載の通信システム。
【発明の詳細な説明】
（産業上の利用分野）
本発明は通信分野に関し、さらに詳しくは、セルラ通信システムに関する。
【０００１】
（従来の技術）
通信システムは、フィードバック・システムを介するダウンリンク適応変調およびコーディングを採用する。ダウンリンクの適応変調およびコーディング・レベルとは、当業者には周知の如く、ダウンリンク通信のデータ速度の選択を意味する。このようなシステムでは、移動局が所望のデータ速度に関して基地局に通知を行い、基地局がその要求に応じる。移動局におけるデータ速度の選択規準が満足されると、移動局は、ダウンリンク通信データ速度の所望のレベルを決定する。これを、移動局制御データ速度適応と呼ぶ。
【０００２】
移動局制御データ速度適応の欠点は、時間により可変する負荷条件下においては、高いシステム容量を実現できない場合がある点である。移動局は、適切な時刻における干渉レベルを確実に推定して、通信システム容量を効率的に利用することができないことがある。データ速度を選択する際に、移動局は、干渉測定の間に、干渉を起こす可能性のある基地局のうちどの基地局がアイドル時間スロットを送信しているかに確信がもてず、また、通信中の基地局から次に予定される送信の間に、どの干渉基地局がアイドルになるかの確信が持てない。
【０００３】
したがって、移動局が、基地局からのダウンリンク送信に関する初期データ速度要求を行う際に通信システム容量を最大に利用する通信システム方法および装置が必要である。
【０００４】
（好適な実施例の説明）
図１を参照して、移動局と基地局との間の通信を行う通信システム１００が図示される。このようなシステムにおいては、２つ以上の移動局と２つ以上の基地局とが存在することもある。さらに、各基地局は区分されて、少なくてもある程度、また一定の時間に亘り独立して動作することがある。システム１００は、全セクタ・セル基地局サイト１０１〜１０７を有して図示される。しかし、言うまでもなく、本発明の種々の局面は、区分されたセル構造を有するシステムにおいても適応可能であり、実行することができる。システム１００は、通信システム１００内をローミングし、基地局１０１〜１０７が提供する通信サービスを利用するいくつかの移動局を示す。通信システム１００は、図１に示される他に、さらにいくつかの基地局を備えることもある。移動局は、アップリンク１１２などの通信アップリンクと、ダウンリンク１１１などの通信ダウンリンクとを介して基地局と通信する。
【０００５】
本発明の種々の局面により、移動局１１０は、基地局１０７と移動局１１０との間の通信に関して、初期のデータ速度を選択する。移動局１１０は、選択した初期データ速度を、アップリンク１１２を介して基地局１０７に通信する。基地局１０７は、初期データ速度が移動局１１０により選択された時刻と、基地局１０７が移動局１１０への通信の準備を行う時刻との間に移動局１０７が受ける干渉状態の差分レベルを判定する。基地局１０７は、判定された干渉状態の差分レベルに基づき、移動局１１０に対する基地局１０７からの送信に関する最終的なデータ速度を選択する。これにより、初期データ速度は、当業者には明白であろうが、ダウンリンク容量を最大限にしながら、最終データ速度に修正される。
【０００６】
本発明のある局面による選択された初期データ速度は、初期データ速度が移動局１１０により被選択時刻に、移動局１１０が判定した搬送波対干渉（比）条件のレベルに基づく。さらに、判定された干渉状態の差分レベルが基地局１０７により判定される。
【０００７】
本発明の種々の局面は、通信システム１００における移動局と基地局との間の通信構造を示す図２を参照することにより、より明白になる。たとえば、伝播遅延に関して調整後に移動局１１０から送信されるアップリンク２０１は、基地局１１０から送信されるダウンリンク２０２に関して図示されるように現れる。周辺の他の基地局から送信されるダウンリンク信号２０３，２０４は、たとえば、図示されるように現れる。通信システム１００は、同期通信システムであるので、すべての基地局の時間スロット構造は、おおまかな、あるいは正確な時間同期を有する。移動局１１０は、時刻２１０の前に発生する干渉の平均的あるいは瞬間的測定のいずれかに基づいて干渉測定を行いつつ、時刻２１０における干渉対搬送波比のレベルを判定する。時間スロット２１１上で、移動局１１０は、選択したデータ速度を基地局１０７に通信する。基地局１０７は、次に、時間スロット２１２上で、要求されたデータ速度において移動局１１０に送信する。しかし、時刻２１０と、時間スロット２１２の送信が始まる時刻である時刻２１３との間の干渉状態が、全く異なる場合がある。たとえば、時刻２１０においてはダウンリンク２０３，２０４はいずれも、時間スロット２２０，２２１に示されるように送信中である。その結果、移動局は、干渉測定を行った後で、この干渉レベルに適したデータ速度を選択する決定を行うことがある。ダウンリンク２０３，２０４は、基地局１１０の他のセクタまたは基地局１０７を囲む他のセル・サイトから送信されることもある。たとえば、時刻２１３において、ダウンリンク２０４は、時刻２１０よりも少ない干渉を集合的に与えるアイドル時間スロットを有することに注目されたい。干渉が少なくなると、重大な悪影響なしにより高速のデータ速度を利用することができる。本発明により、基地局１０７が、移動局１１０が初期データ速度を選択した時刻２１０と、基地局１０７が移動局１１０に対する通信の準備をする時刻２１３との間に受ける干渉レベルの差分を判定し、判定した干渉状態の差分レベルに基づき基地局１０７から移動局１１０に対する送信の最終的なデータ速度を選択すると、システムのダウンリンク容量が最大になる。これは、当業者には明白であろう。
【０００８】
判定された干渉状態の差分レベルが、基地局１０７が初期データ速度が移動局１１０により選択された時刻２１０におけるよりも移動局１１０に対する通信の準備をする時刻２１３における干渉より大きな干渉を示す場合は、被選択最終データ速度は、被選択初期データ速度より低いことがある。同様に、被判定干渉状態差分レベルが、基地局１０７が移動局１１０に対する通信の準備をする時刻２１３において、移動局１１０が初期データ速度を選択した時刻２１０よりも少ない干渉を示す場合は、最終データ速度は、被選択初期データ速度より高くなる。被判定干渉状態差分レベルが、基地局１０７が移動局１１０との通信準備をする時刻２１３と、移動局が初期データ速度を選択する時刻２１０においてほぼ同じ干渉を示す場合は、被選択最終データ速度は、被選択初期データ速度と同じになる。時刻２１３と２１０との間の時間差は、２時間スロットとして図示されるが、通信システムのトラフィック負荷条件に応じて、時差がそれより多い場合も少ない場合もある。
【０００９】
本発明のある局面により、被判定干渉状態差分レベルが閾値より高い場合には、被選択最終データ速度は被選択初期データ速度と異なる。このような閾値は、システムのトラフィック負荷条件に応じて、予め定められるか、あるいは調整される。よって、基地局１０７は、被選択最終データ速度において、好ましくは、時刻２１３に時間的に近接する時間スロット２１２の間に、移動局１１０に対して送信する。
【００１０】
通信システム１００は、基地局１０１〜１０７に周知の所定の電力レベルにおいて送信することにより、本発明のある実施例にしたがって動作することができる。それにより、基地局から送信され移動局１１０に受信される干渉信号の伝播損失が決定される。移動局は、エリア内の他の基地局からパイロット信号が送信されるパイロット信号測定のテーブルを維持するので、移動局とテーブル内の各基地局との間の伝播損失は、移動局１１０が実際に測定した一定の被送信電力レベルで減算することにより容易に決定される。このようなテーブルは、活動中の基地局，候補の基地局，近隣基地局または残りの基地局のリストを含むことが知られる。本発明により、干渉状態の差分レベルの判定には、基地局１０７の周辺エリアの基地局１０１〜１０６などの複数の基地局から送信されるパイロット信号の、移動局１１０が行うパイロット信号強度測定を、移動局１１０から受信する段階が含まれることがある。
【００１１】
さらに、基地局３０５〜３０７などの基地局間の一般的な論理接続３００を示す図３を参照して、基地局３０７は、複数の基地局３０５，３０６から、他の基地局への直接的な接続を介して、あるいは中央集中されたコントローラを介して、セル・サイト１０１〜１０６内の複数の基地局のうちいずれかの基地局が、基地局１０７が移動局１１０に対する通信を準備をする時間スロット２１２において、送信中であるか否かの指示を受信する。これにより、時間スロット２１２においてどの基地局が送信中であるか、またどれを考慮に入れたかを知ることで、基地局は、干渉状態の差分レベルを判定する。
【図面の簡単な説明】
【図１】  本発明の種々の局面を利用する通信システムである。
【図２】  移動局と基地局との間の通信構造を示す。
【図３】  本発明の種々の局面を利用する通信システムの種々の構成部品間の論理的接続を示す。
【図１】
0003851562.tif 000002
【図２】
0003851562.tif 000003
【図３】
0003851562.tif 000004